(57)【特許請求の範囲】
【請求項１】
物体側から順に、
正の屈折力の第１レンズ群と、
負の屈折力の第２レンズ群と、
正の屈折力の第３レンズ群と、
正の屈折力の第４レンズ群と、
負の屈折力の第５レンズ群とから成る、
又は、
正の屈折力の第１レンズ群と、
負の屈折力の第２レンズ群と、
正の屈折力の第３レンズ群と、
正の屈折力の第４レンズ群と、
負の屈折力の第５レンズ群と、
負の屈折力の第６レンズ群とから成り
各レンズ群の間は空気間隔を以って隔てられ、変倍時に各レンズ群の間の空気間隔が変化し、
第２レンズ群は物体側より順に負の屈折力の２ａ群と負の屈折力の２ｂ群より構成されて２ｂ群を光軸と直行する方向に変位させることによって防振を行い、
以下の条件式を同時に満足することを特徴とする防振機能を備えた変倍結像光学系。
Ｆ３＝｜（β３*Ｈ３−Ｈ３’）／（（１−β３）*ｆ３＋Ｈ３’） ｜ ＜ ０．２５
Ｆ４＝｜（β４*Ｈ４−Ｈ４’）／（（１−β４）*ｆ４＋Ｈ４’） ｜ ＜ ０．２５
√（Ｆ３＾２+Ｆ４＾２）／２＜ ０．１５
０．７０  ＜  ｜ＬＴ２ａ ／  ｆ２ａ｜  ＜  ０．８５
ただし、
βｉは第ｉレンズ群の望遠端における結像倍率
Ｈｉは第ｉレンズ群の最も物体側の界面から第ｉレンズ群の物体側主点までの距離
Ｈｉ’は第ｉレンズ群の最も像側の界面から第ｉレンズ群の像側主点までの距離
ｆｉは第ｉレンズ群の合成焦点距離
Ｆ３は第３レンズ群の近軸周縁光線の入射高さと射出高さの比から１を減じたもの
Ｆ４は第４レンズ群の近軸周縁光線の入射高さと射出高さの比から１を減じたもの
ＬＴ２ａは２ａ群の最も物体側の面から２ａ群の像側焦点までの距離、
ｆ２ａは２ａ群の焦点距離である。
【請求項２】
前記第２レンズ群は変倍時に像面に対して固定されていることを特徴とする請求項１に記載の防振機能を備えた変倍結像光学系
【請求項３】
光学系のもっとも像側に負の屈折力のレンズ群を有し、フォーカシングに際して、前記第４レンズ群以降のいずれかのレンズ群の全体または一部を移動させることを特徴とする請求項１又は２に記載の防振機能を備えた変倍結像光学系。
【発明の詳細な説明】
【技術分野】
【０００１】
本発明は、スチルカメラ、ビデオカメラ等に用いられる変倍結像光学系に関し、特に画角が狭く、更に防振機能を備えた変倍結像光学系に関するものである。
【背景技術】
【０００２】
デジタルスチルカメラ等に用いられる結像光学系への防振機能の搭載が進んでおり、超望遠レンズを用いた写真撮影でも手振れによる失敗が減少し、超望遠レンズが身近なものとなってきている。このため更に長い焦点距離を持ち、画角の狭い結像光学系が要望されるようになってきている。
【０００３】
望遠端の画角が、３５ｍｍ判に換算して焦点距離５００ｍｍ乃至６００ｍｍに相当する半画角２度乃至２．５度程度の結像光学系が特許文献に記載されている。
【先行技術文献】
【特許文献】
【０００４】
【特許文献１】特開２０１１−１７９１２号公報
【特許文献２】特開２０１２−２０８４３４号公報
【特許文献３】特開２０１１−１８６０９５号公報
【特許文献４】特開２０１３−９７３２２号公報
【特許文献５】特開２０１４−１２６８５１号公報
【発明の概要】
【発明が解決しようとする課題】
【０００５】
画角の狭い、長焦点の結像光学系においては、まず焦点距離に比べて光学全長を短くすることが求められる。光学系の全長を焦点距離で割った値を望遠比と呼ぶが、この値が１を十分下回ることが望ましい。焦点距離に比例して全長が長くなると持ち運び等に支障が生じるため、特に半画角２度乃至２．５度程度の光学系においては望遠比０．７を下回るようにしたい。
【０００６】
望遠比を小さくするためには、もっとも物体側に正屈折力のレンズ群を配置し、正屈折力のレンズ群より像側に負屈折力のレンズ群を配置した、いわゆる望遠型またはテレフォトタイプと呼ばれる屈折力配置とするのが効果的である。
【０００７】
長焦点の結像光学系においては、特に物体側をはじめとして全体にレンズエレメントの径が大きくなる傾向があるとともに、変倍に伴う第１レンズ群をはじめとした各群の移動量が大きくなりがちであって変倍操作に要する力が大きくなりがちである。変倍操作をスムーズにして使いやすくするためには各群移動量を抑制する必要がある。しかしながら、各群屈折力は変倍光学系全系の望遠端の屈折力に比べて大きくする必要があるため、球面収差を初めとする諸収差の補正が難しくなる。特に光学系後方のレンズ群の製造誤差による偏芯に伴うコマ収差の変動が大きくなって製造後の結像性能の期待値が低下する傾向がある。
【０００８】
更に、長焦点の結像光学系においては手振れに起因する像ぶれも大きくなって防振群の光軸直交方向への変位が大きくなる傾向にある。防振群の光軸直交方向への変位が大きくなると、防振稼動部やアクチュエータの径方向のサイズが増大し、鏡筒全体の径が太くなる。
【０００９】
したがって防振群は出来る限り光線径を抑制して軽量に設定する必要があるとともに、防振群の光軸直交方向への変位に対する像の光軸直交方向への変位の比、すなわち防振係数を十分に大きくして必要な防振群の変位量を小さくしなければならない。防振群と同様に、フォーカス群も長焦点レンズにおいては重量と変位量が大きくなる傾向があり、光線径の抑制とフォーカス敏感度の確保が課題である。
【００１０】
特許文献１に記載の光学系は望遠端での光学全長の短縮をよく達成しているが、防振群の径が大きく、また防振係数が小さいために鏡筒の径の抑制が難しい。更に軸上色収差の補正が不十分であり、結像性能に問題がある。
【００１１】
特許文献２に記載の光学系は望遠端での望遠比がおよそ０．７７であるが更なる短縮を図りたい。また、第３レンズ群のティルトに伴うコマ収差の変動が大きく、製造後の性能の期待値に不満が残る。更にフォーカス群の光線径が特に広角端において高いため、フォーカス群重量に課題が残る。
【００１２】
特許文献３に記載の光学系は半径１１ｍｍほどのイメージサークルに対応し、望遠比が０．６５を切り、光学全長がきわめて短いが、防振については言及されていない。
【００１３】
特許文献４に記載の光学系は望遠比約０．６５と光学全長が非常に短いが、防振群の径が大きすぎて、防振群が1枚の構成でありながらも軽量化が不十分である。更に第２、第３、第４レンズ群のティルトやシフトの伴うコマ収差の変動が大きく製造後の性能の期待値に不満が残る。
【００１４】
特許文献５に記載の光学系は望遠比約０．６５と光学全長が非常に短く、防振群の径も抑制されているが、防振係数が小さくて望遠端での防振群移動量が抑制されていないほか、防振群のシフトに伴う特にコマ収差の変動が大きく、防振時の性能が十分といえない。更に第３レンズ群や第４レンズ群のティルトに伴うコマ収差の変動が大きく、製造後の性能の期待値に不満が残る。
【００１５】
本発明はこのような状況に鑑みてなされたものであり、望遠端の半画角２度程度で、イメージサークルが大きく望遠端の焦点距離の長い変倍結像光学系において、全長を抑えながら、防振群の重量を抑制した、防振機能を備えた高性能な変倍結像光学系を提供することを目的とする。
【課題を解決するための手段】
【００１６】
そこで、上記課題を解決するため、請求項１に記載の発明は、
物体側から順に、
正の屈折力の第１レンズ群と、
負の屈折力の第２レンズ群と、
正の屈折力の第３レンズ群と、
正の屈折力の第４レンズ群と、
負の屈折力の第５レンズ群とから成る、
又は、
正の屈折力の第１レンズ群と、
負の屈折力の第２レンズ群と、
正の屈折力の第３レンズ群と、
正の屈折力の第４レンズ群と、
負の屈折力の第５レンズ群と、
負の屈折力の第６レンズ群とから成り
各レンズ群の間は空気間隔を以って隔てられ、変倍時に各レンズ群の間の空気間隔が変化し、
第２レンズ群は物体側より順に負の屈折力の２ａ群と負の屈折力の２ｂ群より構成されて２ｂ群を光軸と直行する方向に変位させることによって防振を行い、
以下の条件式（１）（２）及び（３）を同時に満足することを特徴とする防振機能を備えた変倍結像光学系とした。
（１）Ｆ３＝｜（β３*Ｈ３−Ｈ３’）／（（１−β３）*ｆ３＋Ｈ３’） ｜ ＜ ０．２５
（２）Ｆ４＝｜（β４*Ｈ４−Ｈ４’）／（（１−β４）*ｆ４＋Ｈ４’） ｜ ＜ ０．２５
（３）√（Ｆ３＾２+Ｆ４＾２）／２＜ ０．１５
（４）０．７０  ＜  ｜ＬＴ２ａ ／  ｆ２ａ｜  ＜  ０．８５
ただし、
βｉは第ｉレンズ群の望遠端における結像倍率、Ｈｉは第ｉレンズ群の最も物体側の界面から第ｉレンズ群の物体側主点までの距離、
Ｈｉ’は第ｉレンズ群の最も像側の界面から第ｉレンズ群の像側主点までの距離
ｆｉは第ｉレンズ群の合成焦点距離
Ｆ３は第３レンズ群の近軸周縁光線の入射高さと射出高さの比から１を減じたもの
Ｆ４は第４レンズ群の近軸周縁光線の入射高さと射出高さの比から１を減じたもの
ＬＴ２ａは２ａ群の最も物体側の面から２ａ群の像側焦点までの距離、
ｆ２ａは２ａ群の焦点距離
【００１９】
また請求項２に記載の発明は、前記第２レンズ群は変倍時に像面に対して固定されていることを特徴とする請求項１に記載の防振機能を備えた変倍結像光学系とした。
【００２０】
また請求項３に記載の発明は、光学系のもっとも像側に負の屈折力のレンズ群を有し、フォーカシングに際して、前記第４レンズ群以降のいずれかのレンズ群の全体または一部を移動させることを特徴とする請求項１又は２に記載の防振機能を備えた変倍結像光学系とした。
【発明の効果】
【００２１】
本発明によれば、望遠端の半画角２度程度で、イメージサークルが大きく望遠端の焦点距離の長い変倍結像光学系において、全長を抑えながら、防振群の重量を抑制した、防振機能を備えた高性能な変倍結像光学系を提供することができる。
【図面の簡単な説明】
【００２２】
【図１】本発明の結像光学系の実施例１に係るレンズ構成図である。
【図２】実施例１の結像光学系の広角端の撮影距離無限遠における縦収差図である。
【図３】実施例１の結像光学系の中望遠の撮影距離無限遠における縦収差図である。
【図４】実施例１の結像光学系の望遠端の撮影距離無限遠における縦収差図である。
【図５】実施例１の結像光学系の広角端の撮影距離無限遠における横収差図である。
【図６】実施例１の結像光学系の中望遠の撮影距離無限遠における横収差図である。
【図７】実施例１の結像光学系の望遠端の撮影距離無限遠における横収差図である。
【図８】実施例１の結像光学系の広角端の撮影距離無限遠における０．３°防振時の横収差図である。
【図９】実施例１の結像光学系の中望遠の撮影距離無限遠における０．３°防振時の横収差図である。
【図１０】実施例１の結像光学系の望遠端の撮影距離無限遠における０．３°防振時の横収差図である。
【図１１】本発明の結像光学系の実施例２に係るレンズ構成図である。
【図１２】実施例２の結像光学系の広角端の撮影距離無限遠における縦収差図である。
【図１３】実施例２の結像光学系の中望遠の撮影距離無限遠における縦収差図である
【図１４】実施例２の結像光学系の望遠端の撮影距離無限遠における縦収差図である。
【図１５】実施例２の結像光学系の広角端の撮影距離無限遠における横収差図である。
【図１６】実施例２の結像光学系の中望遠の撮影距離無限遠における横収差図である。
【図１７】実施例２の結像光学系の望遠端の撮影距離無限遠における横収差図である。
【図１８】実施例２の結像光学系の広角端の撮影距離無限遠における０．３°防振時の横収差図である。
【図１９】実施例２の結像光学系の中望遠の撮影距離無限遠における０．３°防振時の横収差図である。
【図２０】実施例２の結像光学系の望遠端の撮影距離無限遠における０．３°防振時の横収差図である。
【図２１】本発明の結像光学系の実施例３に係るレンズ構成図である。
【図２２】実施例３の結像光学系の広角端の撮影距離無限遠における縦収差図である。
【図２３】実施例３の結像光学系の中望遠の撮影距離無限遠における縦収差図である。
【図２４】実施例３の結像光学系の望遠端の撮影距離無限遠における縦収差図である。
【図２５】実施例３の結像光学系の広角端の撮影距離無限遠における横収差図である。
【図２６】実施例３の結像光学系の中望遠の撮影距離無限遠における横収差図である。
【図２７】実施例３の結像光学系の望遠端の撮影距離無限遠における横収差図である。
【図２８】実施例３の結像光学系の広角端の撮影距離無限遠における０．３°防振時の横収差図である。
【図２９】実施例３の結像光学系の中望遠の撮影距離無限遠における０．３°防振時の横収差図である。
【図３０】実施例３の結像光学系の望遠端の撮影距離無限遠における０．３°防振時の横収差図である。
【図３１】本発明の結像光学系の実施例４に係るレンズ構成図である。
【図３２】実施例４の結像光学系の広角端の撮影距離無限遠における縦収差図である。
【図３３】実施例４の結像光学系の中望遠の撮影距離無限遠における縦収差図である。
【図３４】実施例４の結像光学系の望遠端の撮影距離無限遠における縦収差図である。
【図３５】実施例４の結像光学系の広角端の撮影距離無限遠における横収差図である。
【図３６】実施例４の結像光学系の中望遠の撮影距離無限遠における横収差図である。
【図３７】実施例４の結像光学系の望遠端の撮影距離無限遠における横収差図である。
【図３８】実施例４の結像光学系の広角端の撮影距離無限遠における０．３°防振時の横収差図である。
【図３９】実施例４の結像光学系の中望遠の撮影距離無限遠における０．３°防振時の横収差図である。
【図４０】実施例４の結像光学系の望遠端の撮影距離無限遠における０．３°防振時の横収差図である。
【図４１】本発明の結像光学系の実施例５に係るレンズ構成図である。
【図４２】実施例５の結像光学系の広角端の撮影距離無限遠における縦収差図である。
【図４３】実施例５の結像光学系の中望遠の撮影距離無限遠における縦収差図である。
【図４４】実施例５の結像光学系の望遠端の撮影距離無限遠における縦収差図である。
【図４５】実施例５の結像光学系の広角端の撮影距離無限遠における横収差図である。
【図４６】実施例５の結像光学系の中望遠の撮影距離無限遠における横収差図である。
【図４７】実施例５の結像光学系の望遠端の撮影距離無限遠における横収差図である。
【図４８】実施例５の結像光学系の広角端の撮影距離無限遠における０．３°防振時の横収差図である。
【図４９】実施例５の結像光学系の中望遠の撮影距離無限遠における０．３°防振時の横収差図である。
【図５０】実施例５の結像光学系の望遠端の撮影距離無限遠における０．３°防振時の横収差図である。
【図５１】本発明の結像光学系の実施例６に係るレンズ構成図である。
【図５２】実施例６の結像光学系の広角端の撮影距離無限遠における縦収差図である。
【図５３】実施例６の結像光学系の中望遠の撮影距離無限遠における縦収差図である。
【図５４】実施例６の結像光学系の望遠端の撮影距離無限遠における縦収差図である。
【図５５】実施例６の結像光学系の広角端の撮影距離無限遠における横収差図である。
【図５６】実施例６の結像光学系の中望遠の撮影距離無限遠における横収差図である。
【図５７】実施例６の結像光学系の望遠端の撮影距離無限遠における横収差図である。
【図５８】実施例６の結像光学系の広角端の撮影距離無限遠における０．３°防振時の横収差図である。
【図５９】実施例６の結像光学系の中望遠の撮影距離無限遠における０．３°防振時の横収差図である。
【図６０】実施例６の結像光学系の望遠端の撮影距離無限遠における０．３°防振時の横収差図である。
【図６１】本発明の結像光学系の実施例７に係るレンズ構成図である。
【図６２】実施例７の結像光学系の広角端の撮影距離無限遠における縦収差図である。
【図６３】実施例７の結像光学系の中望遠の撮影距離無限遠における縦収差図である。
【図６４】実施例７の結像光学系の望遠端の撮影距離無限遠における縦収差図である。
【図６５】実施例７の結像光学系の広角端の撮影距離無限遠における横収差図である。
【図６６】実施例７の結像光学系の中望遠の撮影距離無限遠における横収差図である。
【図６７】実施例７の結像光学系の望遠端の撮影距離無限遠における横収差図である。
【図６８】実施例７の結像光学系の広角端の撮影距離無限遠における０．３°防振時の横収差図である。
【図６９】実施例７の結像光学系の中望遠の撮影距離無限遠における０．３°防振時の横収差図である。
【図７０】実施例７の結像光学系の望遠端の撮影距離無限遠における０．３°防振時の横収差図である。
【図７１】本発明の結像光学系の実施例８に係るレンズ構成図である。
【図７２】実施例８の結像光学系の広角端の撮影距離無限遠における縦収差図である。
【図７３】実施例８の結像光学系の中望遠の撮影距離無限遠における縦収差図である。
【図７４】実施例８の結像光学系の望遠端の撮影距離無限遠における縦収差図である。
【図７５】実施例８の結像光学系の広角端の撮影距離無限遠における横収差図である。
【図７６】実施例８の結像光学系の中望遠の撮影距離無限遠における横収差図である。
【図７７】実施例８の結像光学系の望遠端の撮影距離無限遠における横収差図である。
【図７８】実施例８の結像光学系の広角端の撮影距離無限遠における０．３°防振時の横収差図である。
【図７９】実施例８の結像光学系の中望遠の撮影距離無限遠における０．３°防振時の横収差図である。
【図８０】実施例８の結像光学系の望遠端の撮影距離無限遠における０．３°防振時の横収差図である。
【発明を実施するための形態】
【００２３】
本発明の防振機能を備えた変倍結像光学系は、図１、図１１、図２１、図３１、図４１、図５１、図６１、図７１に示すレンズ構成図のとおり、物体側から順に正の屈折率の第１レンズ群と、負の屈折力の第２レンズ群、正の屈折力の第３レンズ群、正の屈折力の第４レンズ群、負の屈折力の第５レンズ群を備える。各レンズ群の間は空気間隔を以って隔てられ、各レンズ群の間の空気間隔を変化させることによって変倍を行う。
【００２４】
本発明の防振機能を備えた変倍結像光学系は、望遠端の焦点距離を長くしながら全長を抑制するために、物体側より順に正の屈折力の第１レンズ群と負の屈折力の第２レンズ群を配置して望遠型の屈折力配置を構成している。
【００２５】
広角端から望遠端への変倍は、主として第１レンズ群と第２レンズ群の間隔を増加させることによって行う。
【００２６】
第３レンズ群以降の群は全体として正の屈折力を持ち、広角端から望遠端への変倍に伴って全体として物体側に移動して第２レンズ群に近づくことで像面補償作用を担う。それとともに第２レンズ群以降の合成系の屈折力は負の方向へ変化することで第１レンズ群と、第２レンズ群および第３レンズ群の合成系の形成する望遠型屈折力配置が広角端から望遠端に向かって強くなることになる。この第１レンズ群から第３レンズ群まで各群の作用によって広角端では全系の合成焦点距離に対して光学全長が相対的に長く、望遠端では全系の合成焦点距離に対して光学全長が相対的に短くなり、第１レンズ群の移動量の抑制が行える。
【００２７】
第２レンズ群は第１レンズ群に比べ大幅に光線径が低くなり、防振群として用いることで防振群の軽量化に適する。この第２レンズ群の一部のみを防振群として用いることで、第２レンズ群全体を防振群として用いるより更なる防振群の軽量化を図れる。
【００２８】
第３レンズ群は第２レンズ群で発散された光束をアフォーカルに近い状態で射出し、第４レンズ群で更に収斂させている。第３レンズ群と第４レンズ群の間隔が変化するとき、その間の光束がほぼアフォーカルであるゆえに軸上の球面収差はほぼ変化しないが、軸外光束の高さが変わって非点収差が変化する。変倍に伴って第３レンズ群と第４レンズ群の間隔を適切に設定することによって変倍の全域で非点収差を良好に補正することが可能である。
【００２９】
更に物体側に負の屈折力の第５レンズ群を備えて第３レンズ群から第５レンズ群までの合成系の屈折力配置を望遠型にすることで全系の光学全長の短縮に有利である。広角端から望遠端への変倍に際して第４レンズ群と第５レンズ群との間隔が狭くなるよう第５レンズ群を物体側に移動させることで第５レンズ群の結像倍率を大きくすることで変倍に寄与し、ひいては第１レンズ群の移動量の削減に寄与する。
【００３０】
第３レンズ群および第４レンズ群は第２レンズ群で発散された光束を収斂させる必要があるため大きな屈折力が必要となり、第３レンズ群および第４レンズ群単独での球面収差の補正は難しくなりがちである。更に第５レンズ群の倍率が大きいことから、第３レンズ群および第４レンズ群に起因して発生する収差変動は拡大されて像面に結像する。このため第３レンズ群および第４レンズ群の偏芯に伴う、特にコマ収差の変動は大きくなりやすい傾向がある。
【００３１】
第３レンズ群と第４レンズ群の偏芯に伴うコマ収差の変動を小さくするためには第３レンズ群と第４レンズ群の内部における球面収差の発生を抑制することが有効である。そのためには第３レンズ群および第４レンズ群通過前後における近軸周縁光線の通過高さの変化が抑制されていることが好ましい。
【００３２】
以下に、厚肉レンズ系の前後の面での近軸周縁光線の通過高さについて説明する。
【００３３】
厚肉レンズ系の合成焦点距離をｆ、結像倍率をβ、厚肉レンズ系の最も物体側の界面から物体側主点までの距離をＨ、厚肉レンズ系の最も像側の界面から像側主点までの距離をＨ’とし、厚肉レンズ系に入射する近軸周縁光線が光軸となす角をθ、厚肉レンズ系から射出する近軸周縁光線が光軸となす角をθ’とする。
【００３４】
この時、ニュートンの結像式と近軸光線であることから、厚肉レンズ系への近軸周縁光線入射高さｈおよび厚肉レンズ系からの近軸周縁光線射出高さｈ’は以下の式で表せる。
ｈ＝（（１−１／β）＊ｆ−Ｈ）＊θ
ｈ’＝（（１−β）＊ｆ＋Ｈ’）＊θ’
更に、β＝−θ／θ’なので、整理すると、近軸周縁光線入射高さｈと近軸周縁光線射出高さｈ’の比は以下の式で表される。
ｈ／ｈ’＝  １+（βＨ−Ｈ’）／（（１−β）＊ｆ＋Ｈ’）
【００３５】
条件式（１）乃至（２）は第３レンズ群および第４レンズ群において近軸周縁光線の入射高さと射出高さの比の条件を規定している。
【００３６】
また条件式（３）は条件式（１）および条件式（２）の値の二乗平均値であり、この値が小さいほど条件式（１）および（２）の値が平均的に小さいことに対応し、第３レンズ群および第４レンズ群での近軸周縁光線高の変動が少ないことを意味する。
【００３７】
条件式（１）乃至（２）の上限を超え、第３レンズ群乃至第４レンズ群での近軸周縁光線通過高さの変動が大きくなると、第３レンズ群内での球面収差の発生が大きくなり、第３レンズ群偏芯時のコマ収差の変動が抑制できなくなる。また、条件式（３）の上限を超え、第３レンズ群および第４レンズ群全体としての近軸周縁光線高の変動が大きくなると、条件式（１）乃至（２）の範囲内であっても第３レンズ群と第４レンズ群の偏芯が同時に逆方向に発生した場合、コマ収差の変動が無視できない。
【００３８】
条件式（１）乃至条件式（２）の上限を０．２３に、更に０．２０にすることで本発明の効果をより確実に達成することができる。また、条件式（３）の上限を０．１４に、更に０．１３にすることで本発明の効果をより確実に達成することができる。
【００３９】
第２レンズ群を物体側から順に２ａ群と２ｂ群に分割して、像側に配されてより光線径の低い２ｂ群のみを防振に用いることにより防振群の更なる軽量化に適する。
【００４０】
条件式（４）は２ａ群の望遠比を規定し、光学系全系の短縮および防振群の軽量化に関して望ましい範囲を示すものである。
【００４１】
条件式（４）の上限を超え、２ａ群の望遠比が大きくなると、全長短縮ならびに光線径の抑制が不十分となってしまう。条件式（４）の下限を超え、２ａ群の望遠比が小さくなると、全長の短縮ならびに光線径の抑制の効果は高くなるが、最も物体側の正の屈折力のレンズ成分の屈折力が強くなりすぎてレンズのティルトに伴う非点収差の変動が大きくなりやすく、製造誤差による性能低下が大きくなってしまう。
【００４２】
条件式（４）の上限を０．８３に、更に０．８２に、また条件式（４）の下限を０．７１に、更に０．７２にすることで本発明の効果をより確実に達成することができる。
【００４３】
本発明の防振機能を備えた変倍結像光学系においては、第２レンズ群は変倍時に像面に対して固定されていることが望ましい。第２レンズ群は防振群を含むため制御配線をつなぐ必要がある。第２レンズ群が移動する場合はフレキシブル配線によって接続し、第２レンズ群の移動に伴って無理な応力をフレキシブル配線にかけないために、フレキシブル配線をたわませて退避させるための空間が必要となる。したがって、その空間を確保する必要のために鏡筒全体の小型化が難しくなる。
【００４４】
本発明の防振機能を備えた変倍結像光学系においては、最も像側に負の屈折力のレンズ群を有し、フォーカシングに際して第４レンズ群以降のいずれかのレンズ群の全体、または一部を移動させることが望ましい。長焦点レンズにおいては近距離へのフォーカシングのためのデフォーカス量が大きくなる。オートフォーカスの駆動の速度の向上を鑑みれば、第１にフォーカシングレンズ群は軽量であること、第２にフォーカシングレンズ群の単位移動量に対する像面の移動量が大きいこと、の２点が達成されることが望ましい。長焦点の光学系において物体側に近い部分では外径が大きすぎ、重量が全く抑制できない。本発明の変倍結像光学系において、光束は第１レンズ群で収斂され、第２レンズ群で発散され、第３レンズ群で収斂される。前記後方レンズ群中の、第３レンズ群よりも更に後方のレンズ群であれば光束は十分に収斂されており、十分な軽量化が可能である。
【００４５】
また、光学系全系の短縮のためには光学系の最も像側のレンズ群が強い負の屈折力を備えることが望ましい。この強い負の屈折力のためにこの最も像側のレンズ群の結像倍率は大きくなる。そのため、この最も像側のレンズ群の全体または一部、あるいは最も像側のレンズ群よりも物体側のレンズ群の全体または一部においては、レンズ群の単位移動量あたりの像面移動量が大きくなりやすい。これらの性質から、第４レンズ群以降のいずれかのレンズ群の全体または一部によってフォーカシングを行うことが望ましい。
【００４６】
次に、本発明の結像光学系に係る実施例のレンズ構成について説明する。なお、以下の説明ではレンズ構成を物体側から像側の順番で記載する。
【実施例１】
【００４７】
図１は、本発明の実施例１の結像光学系のレンズ構成図である。
【００４８】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成され、広角端状態から望遠端状態への変倍に際し、第１レンズ群は物体側へ移動し、第２レンズ群は固定し、第３レンズ群は物体側に移動し、第４レンズ群は物体側へ移動し、第５レンズ群は物体側へ移動する構成となっている。
【００４９】
第１レンズ群Ｇ１は、物体側に凸面を向けた負メニスカスレンズＬ１と、両凸レンズＬ２と、物体側に凸面を向けた正メニスカスレンズＬ３から構成される。
【００５０】
第２レンズ群は、物体側より順に負の屈折力の２ａ群と負の屈折力の２ｂ群より構成され、２ｂ群のみを光軸と直行する方向に変位させることにより防振を行う。２ａ群は物体側に凸面を向けた正メニスカスレンズＬ４と、両凸レンズＬ５と両凹レンズＬ６からなる接合レンズから構成される。２ｂ群は両凹レンズＬ７と、両凹レンズＬ８および両凸レンズＬ９からなる接合レンズから構成される。
【００５１】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【００５２】
開口絞りは第３レンズ群の像側に備えられ、変倍に伴って第３レンズ群と一体で移動する。
【００５３】
第４レンズ群Ｇ４は、両凸レンズＬ１５と像側に凸面を向けた負メニスカスレンズＬ１６からなる接合レンズと、物体側に凸面を向けた正メニスカスレンズＬ１７とから構成される。第４レンズ群Ｇ４は、全体が無限遠方から近距離へのフォーカシングに際して物体側へ移動する。
【００５４】
第５レンズ群Ｇ５は、物体側に凸面を向けた負メニスカスレンズＬ１８と、両凹レンズＬ１９と両凸レンズＬ２０からなる接合レンズから構成される。
【実施例２】
【００５５】
図１１は、本発明の実施例２の結像光学系のレンズ構成図である。
【００５６】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成され、広角端状態から望遠端状態への変倍に際し、第１レンズ群は物体側へ移動し、第２レンズ群は固定し、第３レンズ群は物体側に移動し、第４レンズ群は物体側へ移動し、第５レンズ群は物体側へ移動する構成となっている。
【００５７】
第１レンズ群Ｇ１は、物体側に凸面を向けた負メニスカスレンズＬ１と両凸レンズＬ２からなる接合レンズと、物体側に凸面を向けた平凸レンズＬ３から構成される。
【００５８】
第２レンズ群は、物体側より順に負の屈折力の２ａ群と負の屈折力の２ｂ群より構成され、２ｂ群のみを光軸と直行する方向に変位させることにより防振を行う。２ａ群は物体側に凸面を向けた正メニスカスレンズＬ４と、両凸レンズＬ５と両凹レンズＬ６からなる接合レンズから構成される。２ｂ群は両凹レンズＬ７と、両凹レンズＬ８および両凸レンズＬ９からなる接合レンズから構成される。
【００５９】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【００６０】
開口絞りは第３レンズ群の像側に備えられ、変倍に伴って第３レンズ群と一体で移動する。
【００６１】
第４レンズ群Ｇ４は、両凸レンズＬ１５と像側に凸面を向けた負メニスカスレンズＬ１６からなる接合レンズと、物体側に凸面を向けた正メニスカスレンズＬ１７と、から構成される。第４レンズ群Ｇ４は、全体が無限遠方から近距離へのフォーカシングに際して物体側へ移動する。
【００６２】
第５レンズ群Ｇ５は、物体側に凸面を向けた負メニスカスレンズＬ１８と、両凹レンズＬ１９と両凸レンズＬ２０からなる接合レンズから構成される。
【実施例３】
【００６３】
図２１は、本発明の実施例３の結像光学系のレンズ構成図である。
【００６４】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成され、広角端状態から望遠端状態への変倍に際し、第１レンズ群は物体側へ移動し、第２レンズ群は固定し、第３レンズ群は物体側に移動し、第４レンズ群は物体側へ移動し、第５レンズ群は物体側へ移動する構成となっている。
【００６５】
第１レンズ群Ｇ１は、物体側に凸面を向けた負メニスカスレンズＬ１と、両凸レンズＬ２と、物体側に凸面を向けた正メニスカスレンズＬ３から構成される。
【００６６】
第２レンズ群は、物体側より順に負の屈折力の２ａ群と負の屈折力の２ｂ群より構成され、２ｂ群のみを光軸と直行する方向に変位させることにより防振を行う。２ａ群は物体側に凸面を向けた正メニスカスレンズＬ４と、両凸レンズＬ５と両凹レンズＬ６からなる接合レンズから構成される。２ｂ群は両凹レンズＬ７と、両凹レンズＬ８および両凸レンズＬ９からなる接合レンズから構成される。
【００６７】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【００６８】
開口絞りは第３レンズ群の像側に備えられ、変倍に伴って第３レンズ群と一体で移動する。
【００６９】
第４レンズ群Ｇ４は、両凸レンズＬ１５と像側に凸面を向けた負メニスカスレンズＬ１６からなる接合レンズと、物体側に凸面を向けた正メニスカスレンズＬ１７と、から構成される。第４レンズ群Ｇ４は、全体が無限遠方から近距離へのフォーカシングに際して物体側へ移動する。
【００７０】
第５レンズ群Ｇ５は、物体側に凸面を向けた負メニスカスレンズＬ１８と、両凹レンズＬ１９と両凸レンズＬ２０からなる接合レンズから構成される。
【実施例４】
【００７１】
図３１は、本発明の実施例４の結像光学系のレンズ構成図である。
【００７２】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成され、広角端状態から望遠端状態への変倍に際し、第１レンズ群は物体側へ移動し、第２レンズ群は固定し、第３レンズ群は物体側に移動し、第４レンズ群は物体側へ移動し、第５レンズ群は物体側へ移動する構成となっている。
【００７３】
第１レンズ群Ｇ１は、物体側に凸面を向けた負メニスカスレンズＬ１と両凸レンズＬ２からなる接合レンズと、物体側に凸面を向けた平凸レンズＬ３から構成される。
【００７４】
第２レンズ群は、物体側より順に負の屈折力の２ａ群と負の屈折力の２ｂ群より構成され、２ｂ群のみを光軸と直行する方向に変位させることにより防振を行う。２ａ群は物体側に凸面を向けた正メニスカスレンズＬ４と、両凸レンズＬ５と両凹レンズＬ６からなる接合レンズから構成される。２ｂ群は両凹レンズＬ７と、両凹レンズＬ８および物体側に凸面を向けた正メニスカスレンズＬ９からなる接合レンズから構成される。
【００７５】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【００７６】
開口絞りは第３レンズ群の像側に備えられ、変倍に伴って第３レンズ群と一体で移動する。
【００７７】
第４レンズ群Ｇ４は、両凸レンズＬ１５と像側に凸面を向けた負メニスカスレンズＬ１６からなる接合レンズと、物体側に凸面を向けた正メニスカスレンズＬ１７と、から構成される。
【００７８】
第５レンズ群Ｇ５は、物体側に凸面を向けた負メニスカスレンズＬ１８と、両凹レンズＬ１９と物体側に凸面を向けた正メニスカスＬ２０からなる接合レンズから構成される。第５レンズ群Ｇ５は、全体が無限遠方から近距離へのフォーカシングに際して像側へ移動する。
【実施例５】
【００７９】
図４１は、本発明の実施例５の結像光学系のレンズ構成図である。
【００８０】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成され、広角端状態から望遠端状態への変倍に際し、第１レンズ群は物体側へ移動し、第２レンズ群は固定し、第３レンズ群は物体側に移動し、第４レンズ群は物体側へ移動し、第５レンズ群は物体側へ移動する構成となっている。
【００８１】
第１レンズ群Ｇ１は、物体側に凸面を向けた負メニスカスレンズＬ１と両凸レンズＬ２からなる接合レンズと、物体側に凸面を向けた平凸レンズＬ３から構成される。
【００８２】
第２レンズ群は、物体側より順に負の屈折力の２ａ群と負の屈折力の２ｂ群より構成され、２ｂ群のみを光軸と直行する方向に変位させることにより防振を行う。２ａ群は物体側に凸面を向けた正メニスカスレンズＬ４と、両凸レンズＬ５と両凹レンズＬ６からなる接合レンズから構成される。２ｂ群は両凹レンズＬ７と、両凹レンズＬ８および物体側に凸面を向けた正メニスカスレンズＬ９からなる接合レンズから構成される。
【００８３】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【００８４】
開口絞りは第３レンズ群の像側に備えられ、変倍に伴って第３レンズ群と一体で移動する。
【００８５】
第４レンズ群Ｇ４は、両凸レンズＬ１５と像側に凸面を向けた負メニスカスレンズＬ１６からなる接合レンズと、物体側に凸面を向けた正メニスカスレンズＬ１７と、から構成される。
【００８６】
第５レンズ群Ｇ５は、物体側に凸面を向けた負メニスカスレンズＬ１８と、両凹レンズＬ１９と物体側に凸面を向けた正メニスカスレンズＬ２０からなる接合レンズから構成される。第５レンズ群Ｇ５は、全体が無限遠方から近距離へのフォーカシングに際して像側へ移動する。
【実施例６】
【００８７】
図５１は、本発明の実施例６の結像光学系のレンズ構成図である。
【００８８】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成され、広角端状態から望遠端状態への変倍に際し、第１レンズ群は物体側へ移動し、第２レンズ群は固定し、第３レンズ群は物体側に移動し、第４レンズ群は物体側へ移動し、第５レンズ群は物体側へ移動する構成となっている。
【００８９】
第１レンズ群Ｇ１は、物体側に凸面を向けた負メニスカスレンズＬ１と両凸レンズＬ２からなる接合レンズと、物体側に凸面を向けた平凸レンズＬ３から構成される。
【００９０】
第２レンズ群は、物体側より順に負の屈折力の２ａ群と負の屈折力の２ｂ群より構成され、２ｂ群のみを光軸と直行する方向に変位させることにより防振を行う。２ａ群は物体側に凸面を向けた正メニスカスレンズＬ４と、両凸レンズＬ５と両凹レンズＬ６からなる接合レンズから構成される。２ｂ群は両凹レンズＬ７と、両凹レンズＬ８および物体側に凸面を向けた正メニスカスレンズＬ９からなる接合レンズから構成される。
【００９１】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【００９２】
開口絞りは第３レンズ群の像側に備えられ、変倍に伴って第３レンズ群と一体で移動する。
【００９３】
第４レンズ群Ｇ４は、両凸レンズＬ１５と像側に凸面を向けた負メニスカスレンズＬ１６からなる接合レンズと、両凸レンズＬ１７と、から構成される。
【００９４】
第５レンズ群Ｇ５は、負の屈折力の５ａ群と負の屈折力の５ｂ群と、から構成される。５ａ群は物体側に凸面を向けた負メニスカスレンズＬ１８と物体側に凸面を向けた正メニスカスレンズＬ１９とから構成される。５ｂ群は両凹レンズＬ２０と物体側に凸面を向けた正メニスカスレンズＬ２１からなる接合レンズから構成される。５ａ群は、無限遠方から近距離へのフォーカシングに際して像側へ移動する。
【実施例７】
【００９５】
図６１は、本発明の実施例７の結像光学系のレンズ構成図である。
【００９６】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、負の屈折力の第５レンズ群Ｇ５、および負の屈折力の第６レンズ群Ｇ６から構成され、広角端状態から望遠端状態への変倍に際し、第１レンズ群は物体側へ移動し、第２レンズ群は固定し、第３レンズ群は物体側に移動し、第４レンズ群は物体側へ移動し、第５レンズ群は物体側へ移動し、第６レンズ群は物体側へ移動する構成となっている。
【００９７】
第１レンズ群Ｇ１は、物体側に凸面を向けた負メニスカスレンズＬ１と両凸レンズＬ２からなる接合レンズと、物体側に凸面を向けた平凸レンズＬ３から構成される。
【００９８】
第２レンズ群は、物体側より順に負の屈折力の２ａ群と負の屈折力の２ｂ群より構成され、２ｂ群のみを光軸と直行する方向に変位させることにより防振を行う。２ａ群は物体側に凸面を向けた正メニスカスレンズＬ４と、両凸レンズＬ５と両凹レンズＬ６からなる接合レンズから構成される。２ｂ群は両凹レンズＬ７と、両凹レンズＬ８および物体側に凸面を向けた正メニスカスレンズＬ９からなる接合レンズから構成される。
【００９９】
第３レンズ群Ｇ３は両凸レンズＬ１０と、両凸レンズＬ１１と像側に凸面を向けた負メニスカスレンズＬ１２からなる接合レンズと、物体側に凸面を向けた正メニスカスレンズＬ１３と、物体側に凸面を向けた負メニスカスレンズＬ１４と、から構成される。
【０１００】
開口絞りは第３レンズ群の像側に備えられ、変倍に伴って第３レンズ群と一体で移動する。
【０１０１】
第４レンズ群Ｇ４は、両凸レンズＬ１５と像側に凸面を向けた負メニスカスレンズＬ１６からなる接合レンズと、両凸レンズＬ１７と、から構成される。
【０１０２】
第５レンズ群Ｇ５は、物体側に凸面を向けた負メニスカスレンズＬ１８と物体側に凸面を向けた正メニスカスレンズＬ１９と、から構成される。第５レンズ群Ｇ５は、無限遠方から近距離へのフォーカシングに際して像側へ移動する。
【０１０３】
第６レンズ群Ｇ６は両凹レンズＬ２０と物体側に凸面を向けた正メニスカスレンズＬ２１からなる接合レンズから構成される。
【実施例８】
【０１０４】
図７１は、本発明の実施例８の結像光学系のレンズ構成図である。
【０１０５】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成され、広角端状態から望遠端状態への変倍に際し、第１レンズ群は物体側へ移動し、第２レンズ群は固定し、第３レンズ群は物体側に移動し、第４レンズ群は物体側へ移動し、第５レンズ群は物体側へ移動し、第６レンズ群は物体側へ移動する構成となっている。
【０１０６】
第１レンズ群Ｇ１は、物体側に凸面を向けた負メニスカスレンズＬ１と、両凸レンズＬ２と、物体側に凸面を向けた正メニスカスレンズＬ３から構成される。
【０１０７】
第２レンズ群は、物体側より順に負の屈折力の２ａ群と負の屈折力の２ｂ群より構成され、２ｂ群のみを光軸と直行する方向に変位させることにより防振を行う。２ａ群は物体側に凸面を向けた正メニスカスレンズＬ４と、両凸レンズＬ５と両凹レンズＬ６からなる接合レンズから構成される。２ｂ群は両凹レンズＬ７と、両凹レンズＬ８および両凸レンズＬ９からなる接合レンズから構成される。
【０１０８】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【０１０９】
開口絞りは第３レンズ群の像側に備えられ、変倍に伴って第３レンズ群と一体で移動する。
【０１１０】
第４レンズ群Ｇ４は、両凸レンズＬ１５と像側に凸面を向けた負メニスカスレンズＬ１６からなる接合レンズと、物体側に凸面を向けた正メニスカスレンズＬ１７と、から構成される。第４レンズ群Ｇ４は、全体が無限遠方から近距離へのフォーカシングに際して物体側へ移動する。
【０１１１】
第５レンズ群Ｇ５は、物体側に凸面を向けた負メニスカスレンズＬ１８と、両凹レンズＬ１９と両凸レンズＬ２０からなる接合レンズから構成される。
【０１１２】
以下に、前述した本発明の結像光学系の各実施例の具体的な数値データを示す。
【０１１３】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【０１１４】
面番号に付した（絞り）は、その位置に開口絞りが位置していることを示している。平面又は開口絞りに対する曲率半径には∞（無限大）を記入している。また、ＢＦはバックフォーカスを表している。
【０１１５】
［各種データ］には、各撮影距離状態における焦点距離等の値を示している。
【０１１６】
［可変間隔データ］には、各撮影距離状態における可変間隔及びＢＦの値を示している。
【０１１７】
［レンズ群データ］には、各レンズ群を構成する最も物体側の面番号及び群全体の合成焦点距離を示している。
【０１１８】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１１９】
また、これらの各実施例における条件式の対応値の一覧を示す。
【０１２０】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【０１２１】
数値実施例１
単位：mm
[面データ]
面番号           r          d         nd       vd
1            357.6638    3.0000   1.80611   40.73
2            145.8989    0.1000
3            145.8989   10.7551   1.49700   81.61
4           -794.0595    0.1500
5            135.5390   10.1849   1.43700   95.10
6           7136.8093      (d6)
7            137.9806    3.0791   1.72916   54.67
8            758.9464   20.2528
9            299.5544    2.6811   1.56732   42.84
10          -133.6568    1.0000   1.77250   49.62
11            92.0241    6.0917
12          -162.5813    0.8000   1.69680   55.46
13            83.9180    3.0070
14           -56.0081    0.8000   1.69680   55.46
15            74.4381    2.9326   1.80518   25.46
16          -271.5499     (d16)
17           297.4981    3.8735   1.69680   55.46
18           -72.3818    0.1500
19            63.0217    5.0039   1.49700   81.61
20           -56.2842    1.0000   1.90043   37.37
21           325.1721    0.1500
22            33.0876    4.2056   1.62004   36.30
23           102.9453    2.4546
24            46.7524    1.0000   1.91082   35.25
25            28.9828    5.7612
26(絞り)              ∞     (d26)
27           150.4164    4.1498   1.58913   61.25
28           -35.3902    1.0000   1.95375   32.32
29           -66.3121    0.1500
30            60.0137    2.5699   1.58913   61.25
31           439.8894     (d31)
32            78.1384    1.0000   1.90043   37.37
33            30.9430    8.3296
34           -75.9406    1.0000   1.49700   81.61
35            32.0303    4.0594   1.64769   33.84
36          -260.4427    （BF）
像面                ∞
[各種データ]
ズーム比            3.75
広角       中間      望遠
焦点距離          154.54    270.00    578.90
Fナンバー            5.20      5.81      6.51
全画角2ω           15.63      8.97      4.19
像高Y             21.63     21.63     21.63
レンズ全長       298.6040  342.3965  377.7921
[可変間隔データ]
広角       中間      望遠
d6             47.8371   91.6295  127.0254
d16             32.3023   26.1575    3.5000
d26             30.1327   15.9882   22.9567
d31             14.6883    8.4186    1.9977
BF             62.9518   89.5109  111.6205
[レンズ群データ]
群            始面     焦点距離
G1             1         255.26
G2             7         -46.06
G3             17         72.20
G4             27         60.80
G5             32        -60.88
G2a             7        -357.47
G2b             12        -48.13
【０１２２】
数値実施例２
単位：mm
[面データ]
面番号           r          d         nd       vd
1            528.6730    3.0000   1.83481   42.72
2            143.5131   10.5261   1.49700   81.61
3           -536.1702    0.1500
4            133.2008    9.3074   1.49700   81.61
5                  ∞      (d5)
6            148.9229    2.9114   1.71736   29.50
7            700.0000   22.6935
8            165.3603    2.7965   1.51742   52.15
9           -165.3603    1.0000   1.88300   40.80
10            93.6370    6.0627
11          -250.0754    0.7000   1.69680   55.46
12            92.3831    2.8270
13           -57.3765    0.7000   1.69680   55.46
14            75.3753    2.7812   1.80518   25.46
15          -472.9495     (d15)
16           284.2091    3.3355   1.69680   55.46
17           -67.7648    0.1500
18            70.9155    5.0947   1.49700   81.61
19           -53.8213    1.0000   1.90043   37.37
20           337.6022    0.1500
21            34.4130    5.7994   1.58144   40.89
22            96.3145    1.3784
23            45.9295    1.9000   1.88100   40.14
24            30.4137    5.5139
25(絞り)              ∞     (d25)
26           160.1209    4.1084   1.65844   50.85
27           -35.9129    1.0000   1.95375   32.32
28           -80.1123    0.1500
29            67.7459    2.2114   1.58913   61.25
30           554.6238     (d30)
31            63.9746    1.0000   1.91082   35.25
32            29.1749    8.7771
33           -72.7482    1.0000   1.43700   95.10
34            31.9872    4.5267   1.64769   33.84
35         -1000.0000    （BF）
像面                ∞
[各種データ]
ズーム比            3.74
広角       中間      望遠
焦点距離          154.67    270.00    578.86
Fナンバー            5.15      5.77      6.50
全画角2ω           15.58      8.96      4.19
像高Y             21.63     21.63     21.63
レンズ全長       298.9062  343.6742  379.0453
[可変間隔データ]
広角       中間      望遠
d5             48.3963   93.1642  128.5354
d15             30.4954   25.6247    3.5000
d25             34.1791   19.6736   24.9615
d30             18.4411    9.9704    1.9974
BF             54.8430   82.6900  107.4997
[レンズ群データ]
群            始面     焦点距離
G1             1         256.25
G2             6         -46.11
G3             16         71.10
G4             26         65.07
G5             31        -65.77
G2a             6        -267.24
G2b             11        -51.20
【０１２３】
数値実施例３
単位：mm
[面データ]
面番号           r          d         nd       vd
1            373.7120    3.0000   1.80611   40.73
2            148.6143    0.1000
3            148.6143   10.6839   1.49700   81.61
4           -731.3819    0.1500
5            137.0582   10.1463   1.43700   95.10
6          14951.7522      (d6)
7            116.0743    4.0892   1.72916   54.67
8            403.7009   20.7778
9            293.4642    3.6165   1.56732   42.84
10          -123.6305    1.6647   1.77250   49.62
11            71.3448    6.3805
12          -145.4433    0.8000   1.69680   55.46
13           104.6635    2.6947
14           -60.2911    0.8000   1.69680   55.46
15            72.6162    2.9409   1.80518   25.46
16          -297.3883     (d16)
17           312.8853    3.8974   1.69680   55.46
18           -71.2933    0.1500
19            62.7609    5.0466   1.49700   81.61
20           -56.5939    1.0000   1.90043   37.37
21           324.7258    0.1500
22            33.4685    4.1701   1.62004   36.30
23           101.2724    2.7853
24            46.3806    1.0000   1.91082   35.25
25            29.1987    5.7625
26(絞り)              ∞     (d26)
27           141.0544    4.1662   1.58913   61.25
28           -36.0830    1.0000   1.95375   32.32
29           -68.3457    0.1500
30            59.9188    2.5555   1.58913   61.25
31           391.7408     (d31)
32            75.5933    1.0000   1.90043   37.37
33            30.9362    9.3376
34           -80.2760    1.0000   1.49700   81.61
35            31.7778    4.0939   1.64769   33.84
36          -337.4440      (BF)
像面                ∞
[各種データ]
ズーム比            3.74
広角       中間      望遠
焦点距離          154.65    269.99    578.93
Fナンバー            5.18      5.80      6.48
全画角2ω           15.66      8.98      4.19
像高Y             21.63     21.63     21.63
レンズ全長       298.6675  342.4427  378.4134
[可変間隔データ]
広角       中間      望遠
d6             43.8852   87.6604  123.6307
d16             32.2743   25.7705    3.5000
d26             30.3672   16.5059   23.1094
d31             14.2104    8.2370    1.9975
BF             62.8208   89.1593  111.0662
[レンズ群データ]
群            始面     焦点距離
G1             1         255.76
G2             7         -45.76
G3             17         71.22
G4             27         61.27
G5             32        -61.45
G2a             7        -213.69
G2b             12        -52.85
【０１２４】
数値実施例４
単位：mm
[面データ]
面番号           r          d         nd       vd
1            378.1538    3.0000   1.83481   42.72
2            129.8799   10.1967   1.49700   81.61
3          -1207.9001    0.1500
4            128.8993    9.5152   1.49700   81.61
5                  ∞      (d5)
6            136.4357    2.9694   1.71736   29.50
7            520.1053   22.5262
8            157.9367    2.8856   1.51742   52.15
9           -157.9367    1.0000   1.88300   40.80
10            96.4016    6.0478
11          -343.4654    0.7000   1.69680   55.46
12            84.3415    2.7699
13           -64.5497    0.7000   1.69680   55.46
14            63.5386    2.7771   1.80518   25.46
15          2214.2403     (d15)
16           320.9977    3.3148   1.69680   55.46
17           -66.4937    0.1500
18            72.1850    5.0395   1.49700   81.61
19           -54.1974    1.0000   1.90043   37.37
20           347.1276    0.1500
21            34.9884    5.4911   1.58144   40.89
22           100.1616    0.9803
23            46.2672    1.9000   1.88100   40.14
24            30.8087    5.5414
25(絞り)              ∞     (d25)
26           184.7128    4.1778   1.65844   50.85
27           -36.1480    1.0000   1.95375   32.32
28           -77.2303    0.1500
29            71.5466    2.3326   1.58913   61.25
30          1830.4119     (d30)
31            77.3392    1.0000   1.91082   35.25
32            32.1806   10.2760
33           -78.1132    1.6681   1.43700   95.10
34            36.1981    4.4142   1.67270   32.17
35         10228.2235      (BF)
像面                ∞
[各種データ]
ズーム比            3.74
広角       中間      望遠
焦点距離          154.65    269.95    578.87
Fナンバー            5.07      5.83      6.50
全画角2ω           15.71      9.03      4.21
像高Y             21.63     21.63     21.63
レンズ全長       298.9917  341.5260  379.1790
[可変間隔データ]
広角       中間      望遠
d5             47.3884   89.9225  127.5760
d15             29.5144   24.3542    3.5000
d25             36.9826   19.2524   19.9625
d30             19.1013   10.5429    1.9972
BF             52.1813   83.6303  112.3196
[レンズ群データ]
群            始面     焦点距離
G1             1         257.80
G2             6         -46.22
G3             16         71.96
G4             26         64.13
G5             31        -65.81
G2a             6        -299.30
G2b             11        -49.93
【０１２５】
数値実施例５
単位：mm
[面データ]
面番号           r          d         nd       vd
1            373.2439    3.0000   1.83481   42.72
2            128.8795   10.2630   1.49700   81.61
3          -1288.9145    0.1500
4            128.2438    9.6096   1.49700   81.61
5                  ∞      (d5)
6            137.6764    2.9639   1.71736   29.50
7            544.3756   22.6620
8            149.6888    2.9567   1.51742   52.15
9           -149.6888    1.0000   1.88300   40.80
10            94.6010    6.0666
11          -314.7976    0.7000   1.69680   55.46
12            86.0375    2.7411
13           -64.5500    0.7000   1.69680   55.46
14            64.5618    2.7794   1.80518   25.46
15          5702.1522     (d15)
16           346.2888    3.2611   1.69680   55.46
17           -67.4490    0.1500
18            75.1045    4.9850   1.49700   81.61
19           -54.3536    1.0000   1.90043   37.37
20           388.8141    0.1500
21            35.6793    4.7690   1.58144   40.89
22           107.1754    1.0796
23            47.2787    1.9000   1.88100   40.14
24            31.5149    5.5389
25(絞り)              ∞     (d25)
26           198.8545    4.1456   1.65844   50.85
27           -36.1922    1.0000   1.95375   32.32
28           -75.7005    0.1500
29            69.5985    2.3143   1.59349   67.00
30          1112.9818     (d30)
31            75.6091    1.0000   1.90043   37.37
32            32.3743   11.1880
33           -83.0905    1.0000   1.43700   95.10
34            36.5367    4.2928   1.67270   32.17
35           674.4266      (BF)
像面                ∞
[各種データ]
ズーム比            3.74
広角       中間      望遠
焦点距離          154.65    269.99    578.88
Fナンバー            5.04      5.86      6.49
全画角2ω           15.71      9.03      4.21
像高Y             21.63     21.63     21.63
レンズ全長       299.0765  340.6390  379.3817
[可変間隔データ]
広角       中間      望遠
d5             46.8751   88.4376  127.1801
d15             28.9404   23.7846    3.5000
d25             38.1845   19.9778   21.7946
d30             19.5085   10.9735    1.9975
BF             52.0514   83.9489  111.3929
[レンズ群データ]
群            始面     焦点距離
G1             1         257.64
G2             6         -46.46
G3             16         73.66
G4             26         63.71
G5             31        -64.70
G2a             6        -292.50
G2b             11        -50.41
【０１２６】
数値実施例６
単位：mm
[面データ]
面番号           r          d         nd       vd
1            365.4891    3.0000   1.83481   42.72
2            127.0846   10.3046   1.49700   81.61
3          -1427.5505    0.1500
4            127.1046    9.6873   1.49700   81.61
5                  ∞      (d5)
6            144.9780    3.0032   1.71736   29.50
7            709.8099   22.5926
8            139.7435    3.0697   1.51742   52.15
9           -139.7435    1.0000   1.88300   40.80
10            91.2159    6.1098
11          -305.2438    0.7000   1.69680   55.46
12            87.7611    2.7308
13           -64.5798    0.7000   1.69680   55.46
14            66.8529    2.7379   1.80518   25.46
15          6415.1292     (d15)
16           917.0159    3.1606   1.62041   60.34
17           -65.4856    0.1500
18            81.4594    5.1676   1.49700   81.61
19           -50.2651    1.0000   1.91082   35.25
20         12857.9429    0.1500
21            39.7020    3.7454   1.64769   33.84
22           165.3683    3.3038
23            52.9808    1.9000   1.88100   40.14
24            33.0522    5.4858
25(絞り)              ∞     (d25)
26           294.0289    4.2603   1.69680   55.46
27           -35.1097    1.0000   1.95375   32.32
28           -80.1614    0.1500
29            78.1387    2.5322   1.59349   67.00
30          -377.4708     (d30)
31            87.7761    1.0000   1.80420   46.50
32            26.8830    2.2144   1.72825   28.32
33            36.6224   21.2579
34          -101.5049    2.0000   1.43700   95.10
35            37.2848    4.1070   1.60342   38.01
36           203.2256      (BF)
像面                ∞
[各種データ]
ズーム比            3.74
広角       中間      望遠
焦点距離          154.77    270.00    578.86
Fナンバー            5.06      5.84      6.49
全画角2ω           15.71      9.03      4.21
像高Y             21.63     21.63     21.63
レンズ全長       298.7481  340.7869  379.0428
[可変間隔データ]
広角       中間      望遠
d5             46.0134   88.0521  126.3078
d15             29.1520   23.7340    3.5000
d25             32.6154   19.6895   25.1890
d30             17.4253   10.1944    1.9975
BF             45.1711   70.7460   93.6776
[レンズ群データ]
群            始面     焦点距離
G1             1         257.14
G2             6         -46.18
G3             16         77.20
G4             26         62.34
G5             31        -59.18
G2a             6        -277.76
G2b             11        -50.55
G5a             31        -75.35
G5b             34       -357.07
【０１２７】
数値実施例７
単位：mm
[面データ]
面番号           r          d         nd       vd
1            370.6330    3.0000   1.83481   42.72
2            127.6111   10.3116   1.49700   81.61
3          -1345.5535    0.1500
4            127.2682    9.6767   1.49700   81.61
5                  ∞      (d5)
6            145.7558    2.9973   1.71736   29.50
7            723.8084   22.5896
8            140.5816    3.0595   1.51742   52.15
9           -140.5816    1.0000   1.88300   40.80
10            91.5361    6.1057
11          -300.0543    0.7000   1.69680   55.46
12            88.4743    2.7214
13           -64.5061    0.7000   1.69680   55.46
14            66.6869    2.7410   1.80518   25.46
15          6186.2394     (d15)
16          1220.3717    3.1551   1.62041   60.34
17           -64.6325    0.1500
18            82.7645    5.1690   1.49700   81.61
19           -49.8333    1.0000   1.91082   35.25
20         -4479.2347    0.1500
21            39.6642    3.7281   1.64769   33.84
22           159.7630    3.4204
23            52.6520    1.9000   1.88100   40.14
24            32.9896    5.4905
25(絞り)              ∞     (d25)
26           285.4516    4.2383   1.69680   55.46
27           -35.2509    1.0000   1.95375   32.32
28           -81.6685    0.1500
29            80.1273    2.5468   1.59349   67.00
30          -304.8572     (d30)
31            88.3160    1.0000   1.80420   46.50
32            27.2454    2.1595   1.75520   27.53
33            36.0764     (d33)
34           -96.6261    1.9935   1.43700   95.10
35            38.1247    4.1376   1.60342   38.01
36           223.3526      (BF)
像面                ∞
[各種データ]
ズーム比            3.74
広角       中間      望遠
焦点距離          154.77    269.96    578.86
Fナンバー            5.10      5.84      6.51
全画角2ω           15.71      9.03      4.21
像高Y             21.63     21.63     21.63
レンズ全長       298.8477  341.1342  379.1761
[可変間隔データ]
広角       中間      望遠
d5             46.2834   88.5697  126.6121
d15             29.7073   23.7653    3.5000
d25             31.4942   20.0095   25.3557
d30             16.6915   10.2099    1.9971
ｄ33            22.6552   20.3464   21.2514
BF             44.8745   71.0918   93.3182
[レンズ群データ]
群            始面     焦点距離
G1             1         257.40
G2             6         -46.22
G3             16         77.13
G4             26         62.12
G5             31        -75.06
G6             33       -350.93
G2a             6        -278.80
G2b             11        -50.58
【０１２８】
数値実施例８
単位：mm
[面データ]
面番号           r          d         nd       vd
1            550.2301    3.0000   1.83481   42.72
2            144.9435   10.6178   1.49700   81.61
3           -508.0778    0.1500
4            133.4833    9.2990   1.49700   81.61
5                  ∞      (d5)
6            148.9001    2.9142   1.71736   29.50
7            700.0000   22.4340
8            159.6819    2.8639   1.51742   52.15
9           -159.6819    1.0000   1.88300   40.80
10            91.2597    6.1064
11          -214.1812    0.7000   1.69680   55.46
12            94.8167    2.8442
13           -57.6477    0.7000   1.69680   55.46
14            76.1754    2.8444   1.80518   25.46
15          -392.6584     (d15)
16           235.0685    3.5316   1.69680   55.46
17           -66.2550    0.1500
18            70.0938    5.2152   1.49700   81.61
19           -53.3381    1.0000   1.90043   37.37
20           296.4532    0.1500
21            34.3415    5.7678   1.58144   40.89
22            89.1967    2.6246
23            46.2929    1.9000   1.88100   40.14
24            30.4491    5.4557
25(絞り)              ∞     (d25)
26           154.5168    4.0267   1.65844   50.85
27           -36.8251    1.0000   1.95375   32.32
28           -82.3995    0.1500
29            63.3772    2.2199   1.58913   61.25
30           373.4005     (d30)
31            64.6555    1.0000   1.91082   35.25
32            29.1373    8.8009
33           -73.8858    1.0000   1.43700   95.10
34            31.7813    4.5840   1.64769   33.84
35         -1000.0000    （BF）
像面                ∞
[各種データ]
ズーム比            3.74
広角       中間      望遠
焦点距離          154.67    270.01    578.85
Fナンバー            5.14      5.75      6.50
全画角2ω           15.58      8.95      4.19
像高Y             21.63     21.63     21.63
レンズ全長       298.9154  344.1588  379.0824
[可変間隔データ]
広角       中間      望遠
d5             47.8096   93.0528  127.9769
d15             30.3675   25.8998    3.5000
d25             34.5016   19.2696   25.0138
d30             18.0578    9.2937    1.9973
BF             54.1286   82.5926  106.5441
[レンズ群データ]
群            始面     焦点距離
G1             1         255.82
G2             6         -45.90
G3             16         69.85
G4             26         64.59
G5             31        -65.63
G2a             6        -254.33
G2b             11        -51.56
【０１２９】
条件式対応表
実施例1 実施例2 実施例3 実施例4 実施例5 実施例6 実施例7 実施例8  
条件式1   0.1490  0.1627  0.1501  0.1461  0.1323  0.1257  0.1264  0.1879 
条件式2   0.0688  0.0629  0.0691  0.0598  0.0581  0.0500  0.0499  0.0639 
条件式3   0.0821  0.0872  0.0826  0.0789  0.0722  0.0676  0.0680  0.0993 
条件式4   0.8143  0.7809  0.7317  0.7895  0.7851  0.7780  0.7788  0.7765
【０１３０】
また、本発明の結像光学系では、以下の構成を伴うことがより効果的である。
【０１３１】
第３レンズ群は２枚以上の正レンズを含み、うち一枚は負レンズとの接合レンズであってその接合面は発散作用を持つことがより望ましい。第３レンズ群には第２群で発散された光束が入射し、光学系全系としては光線を収斂させる必要があるので、第３レンズ群では強い光線収斂作用を持たせる必要がある。球面収差の発生を抑えながら強い収斂作用を持たせるためには２枚以上の正レンズに屈折力を分割することが望ましい。更にそのうちの１枚は負レンズと接合され、その接合面を発散面とすることで球面収差の補正が行える。
【０１３２】
第４レンズ群の最も物体側および最も像側のレンズは正レンズであることが望ましい。第４レンズ群内の屈折力配置を対称に近づけることで第４レンズ群への近軸周縁光線入射高さと近軸周縁光線射出高さが近くなり、第４レンズ群全体のティルトに伴うコマ収差の変動が小さくできる。
【０１３３】
２ａ群は物体側から順に正レンズと、正レンズと負レンズからなる接合レンズから構成されることがより望ましい。
【０１３４】
２ｂ群は正レンズ１枚を含む３枚以下のレンズから構成されることがより望ましい。４枚以上の枚数とした場合には防振群の重量の抑制が困難となってしまうためである。
【０１３５】
また、２ｂ群の色収差を補正して防振時の横色収差の発生を抑えるために、２ｂ群内に少なくとも１枚の正レンズを有することが望ましい。
【０１３６】
また、２ｂ群の負の屈折力を十分に保ちながら、特に球面収差やコマ収差等の発生を抑制するために、２ｂ群内に２枚の負レンズを有することが望ましい。
【０１３７】
また、本発明は上記のような５群構成以外の構成を排除するものではない。第５レンズ群の更に後ろに、単体で十分に諸収差の補正された減倍光学系または増倍光学系を追加した構成をも当然に含む。当然ながら、減倍光学系または増倍光学系を第１レンズ群から第５レンズ群までを備える本発明の光学系に追加した系は、第１レンズ群から第５レンズ群までを備える本発明の光学系の特徴を備えた系である。減倍光学系または増倍光学系の追加前後で光学系が本質的に変化したものではない。
【符号の説明】
【０１３８】
Ｇ１      第１レンズ群
Ｇ２      第２レンズ群
Ｇ２ａ    ２ａ群（第２レンズ群前群）
Ｇ２ｂ    ２ｂ群（第２レンズ群後群）
Ｇ３      第３レンズ群
Ｇ４      第４レンズ群
Ｇ５      第５レンズ群
Ｇ５ａ    ５ａ群（第５レンズ群前群）
Ｇ５ｂ    ５ｂ群（第５レンズ群後群）
Ｇ６      第６レンズ群
Ｓ        開口絞り
Ｉ        像面
【図１】
0006492517.tif 000002
【図２】
0006492517.tif 000003
【図３】
0006492517.tif 000004
【図４】
0006492517.tif 000005
【図５】
0006492517.tif 000006
【図６】
0006492517.tif 000007
【図７】
0006492517.tif 000008
【図８】
0006492517.tif 000009
【図９】
0006492517.tif 000010
【図１０】
0006492517.tif 000011
【図１１】
0006492517.tif 000012
【図１２】
0006492517.tif 000013
【図１３】
0006492517.tif 000014
【図１４】
0006492517.tif 000015
【図１５】
0006492517.tif 000016
【図１６】
0006492517.tif 000017
【図１７】
0006492517.tif 000018
【図１８】
0006492517.tif 000019
【図１９】
0006492517.tif 000020
【図２０】
0006492517.tif 000021
【図２１】
0006492517.tif 000022
【図２２】
0006492517.tif 000023
【図２３】
0006492517.tif 000024
【図２４】
0006492517.tif 000025
【図２５】
0006492517.tif 000026
【図２６】
0006492517.tif 000027
【図２７】
0006492517.tif 000028
【図２８】
0006492517.tif 000029
【図２９】
0006492517.tif 000030
【図３０】
0006492517.tif 000031
【図３１】
0006492517.tif 000032
【図３２】
0006492517.tif 000033
【図３３】
0006492517.tif 000034
【図３４】
0006492517.tif 000035
【図３５】
0006492517.tif 000036
【図３６】
0006492517.tif 000037
【図３７】
0006492517.tif 000038
【図３８】
0006492517.tif 000039
【図３９】
0006492517.tif 000040
【図４０】
0006492517.tif 000041
【図４１】
0006492517.tif 000042
【図４２】
0006492517.tif 000043
【図４３】
0006492517.tif 000044
【図４４】
0006492517.tif 000045
【図４５】
0006492517.tif 000046
【図４６】
0006492517.tif 000047
【図４７】
0006492517.tif 000048
【図４８】
0006492517.tif 000049
【図４９】
0006492517.tif 000050
【図５０】
0006492517.tif 000051
【図５１】
0006492517.tif 000052
【図５２】
0006492517.tif 000053
【図５３】
0006492517.tif 000054
【図５４】
0006492517.tif 000055
【図５５】
0006492517.tif 000056
【図５６】
0006492517.tif 000057
【図５７】
0006492517.tif 000058
【図５８】
0006492517.tif 000059
【図５９】
0006492517.tif 000060
【図６０】
0006492517.tif 000061
【図６１】
0006492517.tif 000062
【図６２】
0006492517.tif 000063
【図６３】
0006492517.tif 000064
【図６４】
0006492517.tif 000065
【図６５】
0006492517.tif 000066
【図６６】
0006492517.tif 000067
【図６７】
0006492517.tif 000068
【図６８】
0006492517.tif 000069
【図６９】
0006492517.tif 000070
【図７０】
0006492517.tif 000071
【図７１】
0006492517.tif 000072
【図７２】
0006492517.tif 000073
【図７３】
0006492517.tif 000074
【図７４】
0006492517.tif 000075
【図７５】
0006492517.tif 000076
【図７６】
0006492517.tif 000077
【図７７】
0006492517.tif 000078
【図７８】
0006492517.tif 000079
【図７９】
0006492517.tif 000080
【図８０】
0006492517.tif 000081